(57)【要約】【課題】  リールロックバネやリッドバネ等の金属部品を含むテープカートリッジの組立性及び分解性を向上させる。【解決手段】  テープリール６を下シェル３側へ付勢する一対のリールバネ２１と、テープリール６の回転規制を行うリールロック部材２２を付勢するリールロックバネ２３と、リッド構体４０のフロントリッド４１に対して閉位置へ付勢すると共にリッドロック部材１７をリッドロック位置へ付勢するリッドバネ５４とをそれぞれ上シェル２の内面に一体固定する。上シェル２は金属製とし、下シェル３に対してスライドさせて結合させる。これにより、上シェル２と下シェル３とをネジ部材を用いずに結合でき、結合と同時にリールロックバネ２３及びリッドバネ５４をそれぞれ下シェル３及びリッド構体４０の所定位置へ組み付けることができ、構成部品の分別回収も容易となる。【選択図】        図１２
2005276278.tif 000002
【特許請求の範囲】
【請求項１】
上シェルと下シェルとを結合してなるカートリッジケースと、磁気テープを巻装し前記カートリッジケースの内部に回転可能に収納される一対のテープリールと、これらテープリールを前記下シェル側へ付勢するリールバネと、前記テープリールの回転を規制するリールロック部材と、このリールロック部材を前記テープリールの回転規制位置へ付勢するリールロックバネと、前記カートリッジケースの前方部に形成されたテープローディング用の空間部を開閉するリッドと、このリッドを前記空間部の閉塞位置へ付勢するリッドバネとを備えたテープカートリッジにおいて、
前記リールバネと前記リールロックバネ及び／又は前記リッドバネとが、それぞれ前記上シェルに一体固定されている
ことを特徴とするテープカートリッジ。
【請求項２】
前記上シェルは、金属材料でなる
ことを特徴とする請求項１に記載のテープカートリッジ。
【請求項３】
前記上シェルは、前記リールバネと前記リールロックバネ及び／又は前記リッドバネと同種のバネ鋼材で形成されている
ことを特徴とする請求項１に記載のテープカートリッジ。
【請求項４】
前記リールロックバネは、金属板バネを折曲げ形成してなり、一端が前記上シェルの後面部内面に固定され、他端が前記リールロック部材に係止されている
ことを特徴とする請求項１に記載のテープカートリッジ。
【請求項５】
前記上シェルは、前記下シェルの側壁内面部に形成された係合溝に沿ってスライドさせることにより結合される
ことを特徴とする請求項１に記載のテープカートリッジ。
【請求項６】
前記リッドは、リッドロック部材によって前記閉塞位置にロックされ、
前記リッドバネは、前記リッドロック部材を前記リッドのロック位置へ付勢するリッドロックバネを兼ねる
ことを特徴とする請求項１に記載のテープカートリッジ。
【請求項７】
前記リッドバネは、一端が前記リッドの回動軸に挿着され、他端が前記リッドロック部材に弾接する金属板バネを上シェル内面部に一体固定してなる
ことを特徴とする請求項６に記載のテープカートリッジ。
【請求項８】
前記リッドバネの一端と前記上シェル内面との固定位置との間には、複数の湾曲部を連接させた弾性伸縮部が形成されている
ことを特徴とする請求項７に記載のテープカートリッジ。
【発明の詳細な説明】
【技術分野】
【０００１】
本発明は、磁気テープを巻装した一対のテープリールをカートリッジケース内に回転可能に収納してなるテープカートリッジに関し、更に詳しくは、組立性及び分解性に優れたテープカートリッジに関する。
【背景技術】
【０００２】
テープカートリッジは、一般に、テープ状記録媒体としての磁気テープを巻装したテープリールをカートリッジケース内に回転可能に収納して構成されている。この種のテープカートリッジには、非使用時、テープリールの回転を規制するリールロック機構を備えたものがあり、これにより、テープカートリッジに振動が加わっても磁気テープに巻き弛みが起こらないようにしている。
【０００３】
また、この種のテープカートリッジには、非使用時において、カートリッジケースの前方部に形成されたテープローディング用の空間部に架け渡されている磁気テープをリッドと称される部材によって覆い、磁気テープに塵埃が付着したり人の手指が触れて油脂等が付着するのを防止したものがある。
【０００４】
これらリールロック機構及びリッドを備えた第１の従来例によるテープカートリッジとして、図１３及び図１４に示す民生用デジタルビデオ（ＤＶ）テープカートリッジを説明する。
【０００５】
従来のテープカートリッジ１０１Ａは、上シェル１０２と下シェル１０３とを結合してなるカートリッジケース１０４の内部に、磁気テープ１０５を巻装した一対のテープリール１０６を回転自在に収納して構成されている。これら一対のテープリール１０６は、上シェル１０２の内面に一端が固定された一対のリールバネ１０７の他端に押圧されることにより下シェル１０３側に付勢され、カートリッジケース１０４の内部におけるガタツキが防止されている。
【０００６】
テープリール１０６の回転規制を行うリールロック機構は、各テープリール１０６の下フランジ外周部にそれぞれ係合して回転規制を行うリールロック部材１０８と、このリールロック部材１０８をテープリール１０６の回転規制位置へ付勢するリールロックバネ１０９とを備えている。リールロックバネ１０９はコイルバネでなり、下シェル１０３の背面壁部とリールロック部材１０８との間で支持されている。
【０００７】
一方、リッドは、カートリッジケース１０４の前面部に回動自在に組み付けられている。カートリッジケース１０４の前面部にはテープローディング用の空間部１１０が形成され、リッドはこの空間部１１０を開閉し、閉塞時は空間部１１０に架け渡されている磁気テープ１０５を保護する。
【０００８】
リッドは、磁気テープ１０５の前面側を保護するフロントリッド１１１と、磁気テープ１０５の背面側を保護するバックリッド１１２と、空間部１１０の上方を閉塞するトップリッド１１３とを備えたリッド構体として構成されている。フロントリッド１１１、バックリッド１１２及びトップリッド１１３は互いに連結され、フロントリッド１１１の回動軸１１４をカートリッジケース１０４の支持孔１１５に支持させることにより、回動可能とされている。
【０００９】
回動軸１１４には、フロントリッド１１１を閉位置へ付勢するリッドバネ１１６が装着されている。リッドバネ１１６はトーションバネでなり、図１４Ａ，Ｂに示すように、その一端がフロントリッド１１１内面側の係止部１１９に係止され、他端が上シェル１０２外面部に形成された突部１２０に係止されている。
【００１０】
フロントリッド１１１は、閉位置において、不用意な回動操作を規制するリッドロック部材１１７によって回動規制されている。リッドロック部材１１７は、下シェル１０３のリッドロック収容部１２１（図１３）に軸支され、その係合爪１２２が、フロントリッド１１１の内面部に形成された係合部１２３に係合することにより、フロントリッド１１１の回動規制がなされるようになっている。
【００１１】
また、このリッドロック部材１１７は、リッドロックバネ１１８によって、その係合爪１２２がフロントリッド１１１の係合部１２３に係合する回動位置へ付勢されている。リッドロックバネ１１８は、図１４Ａ，Ｂに示すように、板バネ部品を折曲げ形成してなるもので、その折曲げ端側が下シェル１０３のリッドロックバネ収容部１２４に嵌着され、他端側がリッドロック部材１１７の上端に弾接している。
【００１２】
リッド構体は、図示しない記録再生装置へ装着されると、リッドロック収容部１２１へ記録再生装置側のリッドロック解除手段（図示略）が進入してリッドロック部材１１７をリッドロックバネ１１８の付勢力に抗して図１４Ｂに示す位置へ回動させる。これにより、フロントリッド１１１のロックが解除されると共に、記録再生装置側のリッド開放手段（図示略）により、フロントリッド１１１がリッドバネ１１６の付勢力に抗して回動される。
【００１３】
フロントリッド１１１の開動作に連動して、トップリッド１１３は、上シェル１０２の外壁面に形成されたガイド溝１２５に沿って上シェル１０２の上面側に移動すると共に、バックリッド１１２もまた、空間部１１０を画成する下シェル１０３の内側壁面に形成されたガイド溝１２６（図１３）に沿って上シェル１０２の上面側に移動する。これにより、空間部１１０が開放され、ここに架け渡されている磁気テープ１０５が記録再生装置側のテープローディング手段（図示略）によって引き出されて、当該磁気テープ１０５に対する所定の記録再生動作が行われる。
【００１４】
以上のように構成される第１の従来例におけるテープカートリッジ１０１Ａでは、リッドバネ１１６及びリッドロックバネ１１８がそれぞれ異なる部品で構成されている。これに対して、これらリッドバネ及びリッドロックバネが共通の部品で構成されている民生用ＤＶテープカートリッジ１０１Ｂの構成を第２の従来例として図１５〜図１７に示す。なお、図において上述の第１の従来例と対応する部分については同一の符号を付している。
【００１５】
この第２の従来例によるテープカートリッジ１０１Ｂは、トーションバネでなるリッドバネ１２８のコイル部をフロントリッド１１１の回動軸１１４に装着すると共に、その一端１２８Ａをフロントリッド１１１の内面に形成した係止部１２９に係止させ、他端１２８Ｂをリッドロック部材１１７の上端部に弾接させている。
【００１６】
以上のように構成されるリッドバネ１２８は、カートリッジ非使用時、フロントリッド１１１を閉位置へ付勢すると共に、リッドロック部材１１７を、その係合爪１２２がフロントリッド１１１の内面の係合部１２３に係合する回動位置へ付勢している。リッド開放動作は上述の第１の従来例と同様であるので、ここでは説明を省略する。
【００１７】
上述した構成の第１，第２の従来例におけるテープカートリッジ１０１Ａ，１０１Ｂにおいては、製造の際、磁気テープ１０５を巻装したテープリール１０６とリールロック部材１０８、リールロックバネ１０９、リッドロック部材１１７、リッドロックバネ１１８等の各種構成部品を下シェル１０３の内部の所定位置にそれぞれ組み付けると共に、フロントリッド１１１、バックリッド１１２及びトップリッド１１３でなるリッド構体に対してリッドバネ１１６（１２８）を取り付けてこれを下シェル１０３に組み付けた後、一対のリールバネ１０７が固着された上シェル１０２を下シェル１０３に組み合わせ、これらを複数本のネジ部材１３０を用いて結合している。
【００１８】
一方、従来のテープカートリッジ１０１Ａ，１０１Ｂでは、カートリッジケース１０４やテープリール１０６等の各種部品の大部分は合成樹脂材料で構成され、その特性、品質等を考慮して合成樹脂材料の種類が選定されている。例えば、カートリッジケース１０４を形成する上シェル１０２、下シェル１０３の各構成材料には、ＰＳ（ポリスチレン）やＡＢＳ（アクリロニトリルブタジエンスチレン共重合体）、ＰＣ（ポリカーボネート）又はこれらにガラスファイバーを添加又は混合したものが選定され、機構部品にはＰＰ（ポリプロピレン）や摺動性の良好なＰＯＭ（ポリオキシメチレン）等が使用されている。また、テープリール１０６の構成材料には、ＰＯＭやＡＳ（アクリロニトリルスチレン共重合体）樹脂等が使用されている。
【００１９】
また、一部に強度を要求される部分あるいはバネ弾性が必要となる機構部品には金属材料が用いられており、リールロックバネ１０９のようなコイルバネ、リッドバネ１１６（１２８）のようなトーションバネ、リールバネ１０７やリッドロックバネ１１８等の板バネ部品には、例えばＳＵＳ（ステンレス）バネ鋼が使用されたり、ネジ部材１３０には、ＳＷＣＨ（冷間圧造用炭素鋼線）にクロムメッキを施したもの等が使用されている。
【００２０】
なお、この出願の発明に関連する先行技術文献を以下に示す。下記特許文献１には、リッドバネを樹脂製としたテープカートリッジの構成が開示されており、下記特許文献２には、カセット外装体の一部を、プレス加工によって成形された金属板材で形成したテープカートリッジの構成が開示されている。また、下記特許文献３には、カートリッジケース及びリッド構体が金属材料製のテープカートリッジが開示され、下記特許文献４には、下シェルに対して上シェルがスライド係合してカートリッジケースを構成するカートリッジ構造が開示されている。
【００２１】
【特許文献１】特開２００３−１７３６５３号公報
【特許文献２】特開平８−２４９８５５号公報
【特許文献３】特開２００２−２６９９４５号公報
【特許文献４】特開平１−３０７０７１号公報
【発明の開示】
【発明が解決しようとする課題】
【００２２】
ところで、従来のテープカートリッジ１０１Ａ，１０１Ｂは、例えば、リールロックバネ１０９を下シェル１０３へ組み付ける際には、その一端を下シェル１０３の背面壁に係止させ、他端をリールロック部材に係止させる作業が必要であり、また、リッドバネ１１６（１２８）をフロントリッド１１１へ組み付ける際には、そのコイル部を回動軸１１４へ嵌挿し、一端をフロントリッド内面の係止部１１９（１２９）へ係止させ、他端を上シェル外面の突部１２０（あるいはリッドロック部材１１７の上端）へ係止させる作業が必要である。従って、これらリールロック部材１０８、リッドバネ１１６（１２８）の組付けには、煩雑で複数の動作が必要となり、組立性に優れないだけでなく、生産コストの低減及び生産性の向上を図るにも限界があった。
【００２３】
また、近年、カートリッジの廃棄時等において、構成部品の材料毎の分別回収が必要不可欠となっており、これにより環境負荷の低減および部品の再利用による環境資源の循環等が図られている。しかし、従来のテープカートリッジ１０１Ａ，１０１Ｂにおいては、上述のように、合成樹脂材料でなるカートリッジケースやリッド構体に、金属部品が複雑に組み合わされているために、合成樹脂製機構部品（例えばリールロック機構、リッド構体）の中から金属部品（例えばリールロックバネ１０９、リッドバネ１１６，１２８）を取り外す作業が非常に面倒であり、分解性に優れず、分解コストの低減が図れないのが現状である。
【００２４】
本発明は上述の問題に鑑みてなされ、リールロックバネやリッドバネ等の金属部品を含むテープカートリッジにおいて、その組立性及び分解性を高めることができるテープカートリッジを提供することを課題とする。
【課題を解決するための手段】
【００２５】
以上の課題を解決するに当たり、本発明のテープカートリッジは、上シェルと下シェルとを結合してなるカートリッジケースと、磁気テープを巻装しカートリッジケースの内部に回転可能に収納される一対のテープリールと、これらテープリールを下シェル側へ付勢するリールバネと、テープリールの回転を規制するリールロック部材と、このリールロック部材をテープリールの回転規制位置へ付勢するリールロックバネと、カートリッジケースの前方部に形成されたテープローディング用の空間部を開閉するリッドと、このリッドを空間部の閉塞位置へ付勢するリッドバネとを備え、リールバネとリールロックバネ及び／又はリッドバネとが、それぞれ上シェルに一体固定されていることを特徴とする。
【００２６】
この構成により、下シェルに対する上シェルの取り付け作業と同時に、リールバネとリールロックバネ、リッドバネとを下シェル、リッド構体へそれぞれ組み付けることができると共に、下シェルに対する上シェルの取り外し作業と同時に、リールバネとリールロックバネ、リッドバネとを下シェル、リッド構体からそれぞれ取り外すことができるようになる。
【００２７】
これにより、テープカートリッジの組立性及び分解性を高めて、生産コスト及び分解コストの低減を図ることが可能となる。また、テープカートリッジの主要金属部品であるリールバネとリールロックバネ及び／又はリッドバネとを容易に回収することができるようになり、構成部品の分別回収性を高め、環境負荷の低減及び資源の再利用の促進を図ることができる。
【００２８】
この場合、リールバネとリールロックバネ、リッドバネとがそれぞれ一体固定される上シェルを金属材料で構成することにより、更には、この上シェルをリールバネとリールロックバネ、リッドバネと同種のバネ鋼部品で構成することにより、上シェルとこれに固定された各種バネ部品との分離を必要とすることなく、これらを一体的に回収することが可能となり、より効率的である。
【発明の効果】
【００２９】
以上のように、本発明のテープカートリッジによれば、リールバネとリールロックバネ及び／又はリッドバネとを上シェルに一体固定したので、テープカートリッジの組立性及び分解性の向上を図り、カートリッジ生産コスト及び分解コストの低減を図ることができる。また、カートリッジ構成部品の分別回収性を高めることができる。
【発明を実施するための最良の形態】
【００３０】
以下、本発明の各実施の形態について図面を参照して説明する。
【００３１】
［第１の実施の形態］
図１〜図５は、本発明の第１の実施の形態を示している。本実施の形態では、リールロックバネが上シェルに一体固定されているテープカートリッジＣ１の構成を説明する。
【００３２】
ここで、図１は本実施の形態のテープカートリッジＣ１の主要部の分解斜視図、図２は上シェル２の構成を示す内面側斜視図、図３は上シェル２と下シェル３との間の係合部の形態を示す要部斜視図、図４は上シェル２と下シェル３との間の結合部の形態を示す要部側断面図、図５はリールロック機構の構成を示す要部側断面図である。
【００３３】
テープカートリッジＣ１は、上シェル２と下シェル３とを結合してなるカートリッジケース４の内部に、磁気テープ５を巻装した一対のテープリール６を回転可能に収納して構成されている。
【００３４】
上シェル２の主面部２ａはカートリッジケース４の上面部を構成し、この主面部２ａの後端を折曲げてなる後面部２ｂは、下シェル３の後壁３ｂと協働してカートリッジケース４の背面部を形成している。上シェル２は、略箱状に形成された下シェル３の一対の側壁３ａの上縁部に対し、後述するようにスライド係合して一体化するようになっており、この上シェル２の下シェル３に対するスライド係合時に、上シェル２の後面部２ｂが下シェル３の後壁３ｂと整列するようになっている。
【００３５】
上シェル２及び下シェル３の構成材料は特に限定されず、ＰＳ（ポリスチレン）、ＡＢＳ（アクリロニトリルブタジエンスチレン共重合体）、ＰＣ（ポリカーボネート）又はこれらにガラスファイバーを添加あるいは混合したもの等の合成樹脂材料を主体としたものや、鉄、アルミニウム、ステンレス等の金属材料で構成することができる。
【００３６】
本実施の形態では、上シェル２を後述するように金属材料のプレス加工品で形成し、下シェル２を合成樹脂材料の射出成形体で形成している。
【００３７】
テープリール６は、磁気テープ５の巻芯となるハブと、ハブの上端及び下端に接合又は一体形成される上フランジ及び下フランジとを有しているが、ハブ単体で構成されていてもよい。テープリール６の構成材料も特に限定されないが、本実施の形態では、ＰＯＭ（ポリオキシメチレン）やＡＳ（アクリロニトリルスチレン共重合体）等の合成樹脂材料が適用されている。
【００３８】
下シェル３の左右前面部にはテープ引出し部７がそれぞれ形成されており、これら左右のテープ引出し部７の間にテープローディング用の空間部８を形成している。テープリール６に巻装されている磁気テープ５は、この空間部８を横断するように、各テープ引出し部７のテープガイド９間に架け渡されている。
【００３９】
空間部８を横断する磁気テープ５は、空間部８を開閉するリッド構体１０により保護されるようになっている。リッド構体１０は、磁気テープ５の前面側を保護するフロントリッド１１と、磁気テープ５の背面側を保護するバックリッド１２と、空間部８の上方部を覆うトップリッド１３とで構成されている。これらリッド部材１１〜１３は互いに連結され、それぞれに対して回動自在に軸支されている。
【００４０】
リッド構体１０は、そのフロントリッド１１の両側内面部に突出形成された一対の回動軸１４を、下シェル３の各テープ引出し部７の外周部に穿設された支持孔１５にそれぞれ嵌合させることによって、下シェル３の前面部に回動自在に組み付けられる。
【００４１】
ここで、本実施の形態では、支持孔１５に対する回動軸１４の嵌合操作を容易にするために、テープ引出し部７の上縁から支持孔１５に亘って、回動軸１４の先端をガイドする呼び込み溝１６を形成している。また他の構成例として、テープ引出し部７の上端一部に切欠きを形成し、この切欠きにリッド回動軸１４を挿入する形態も適用可能である。
【００４２】
フロントリッド１１の回動軸１４には、当該フロントリッドを閉位置へ付勢するためのリッドバネ（図示略）が組み付けられている。このリッドバネは、例えば図１４Ａ，Ｂに示したトーションバネで構成されるが、図１７Ａ，Ｂを参照して説明したように、リッドロック部材１７の上端に弾接するリッドロックバネとして兼用される構成としてもよい。
【００４３】
なお、このリッドバネはリッド構体１０に別途組み付けられる構成に限らず、後述する本発明の第２，第３の実施の形態で詳細を説明するように、当該リッドバネを上シェルに一体固定することも可能である。
【００４４】
リッド構体１０が下シェル３へ組み付けられたとき、バックリッド１２は空間部８内に位置し、このバックリッド１２の両端に形成された突起１８と、テープ引出し部７の内側外周壁（空間部８と対向する外周壁）に形成されたガイド溝１９との係合作用によって、バックリッド１２の開閉移動がガイドされるようになっている。
【００４５】
次に、上シェル２の構成の詳細について説明する。
【００４６】
上シェル２は、上述のようにカートリッジケース４の上面部を形成する主面部２ａと、この主面部２ａの後端を下シェル３側へ略直角に折り曲げて形成される後面部２ｂと、主面部２ａの前端の左右位置にそれぞれ形成され下シェル３のテープ引出し部７を覆う一対の張出し部２ｃとを備え、例えば、金属板を打抜き後、図示する形状にプレス加工して形成されている。
【００４７】
上シェル２の主面部２ａの内面側には、テープリール６を下シェル３側へ付勢する一対のリールバネ２１が一体固定されている。これらリールバネ２１は金属板バネで形成されており、その一端２１ａが上シェル２の主面部２ａの内面側に溶接又はカシメにて固着されている（図２）。
【００４８】
本実施の形態では、上シェル２は、下シェル３に対して後方側からスライド係合して互いに結合される構成が採用されている。このため、リールバネ２１はその長手方向をカートリッジケースの前後方向に向けて配置し、かつ、その前方側（リッド構体１０側）の端部を上シェル２との固着端とするようにして、リールバネ２１の自由端が、上シェル２と下シェル３とのスライド結合を阻害しないようにしている。
【００４９】
上シェル２の主面部２ａ両側縁部には、外方へ突出する係合爪部２ｄがそれぞれ一対ずつ形成されている。これら係合爪部２ｄは、例えば図３に明示するように、主面部２ａの両側端から略Ｌ字形状に屈曲形成されており、下シェル３の両側壁３ａの上端内面にそれぞれ一対ずつ形成された係合凹所３ｄに係合可能となっている。係合爪部２ｄの形成間隔と係合凹所３ｄの形成間隔とは、各側部においてそれぞれ一致して形成されている。なお、係合爪部２ｄ及び係合凹所３ｄの配置数は上記に限らず、更にその数を増加してもよい。
【００５０】
各係合凹所３ｄの下端からは、それぞれ、図３に示すように、カートリッジ前方向（リッド構体１０側）に向かって、直線的なスライドガイド溝３ｅが形成されている。係合爪部２ｄは、このスライドガイド溝３ｅに沿ってカートリッジ前方側へスライド可能とされていると共に、スライドガイド溝３ｅとの係合作用によって、上シェル２と下シェル３との一体化状態が保持されるようになっている。なお、このスライドガイド溝３ｅの形成長は、上シェル２を下シェル３に対して適正な結合位置へ導くことができるのに十分な長さとされている。
【００５１】
一方、上シェル２の後面部２ｂの内面側には、下シェル３に組み込まれたリールロック部材２２をカートリッジ前方側へ付勢するリールロックバネ２３が一体固定されている。
【００５２】
リールロック部材２２は、一対のテープリール６の例えば下フランジ外周部に形成されたギヤ部に係合する一対の係合歯２２ａ（図５）を具備し、リールロックバネ２３の付勢力を受けて当該係合歯２２ａが上記ギヤ部に係合しテープリール６の回転を規制するための機構部品で、非使用時における磁気テープの巻き弛みを防止する。このリールロック部材は、例えば、ＰＰ（ポリプロピレン）や摺動性の良好なＰＯＭ等の合成樹脂材料で形成されている。なお、これら一対の係合歯２２ａをリールロック部材の本体部に対して回動自在な構成としてもよく、この場合、各係合歯を上記本体部に対し外方側へ付勢する二重トーションバネ等のバネ部材が取り付けられている。
【００５３】
リールロックバネ２３は、金属板バネを上下方向に交互に折り曲げて形成され、その一端２３ａは上シェル２の後面部２ｂに溶接又はカシメにて固着されている。そして、上シェル２が下シェル３に結合されたとき、リールロックバネ２３の他端２３ｂは、図５に示すように、リールロック部材２２の後端に凹設されたバネ係止部２２ｂに係止されるようになっている。なお、リールロックバネ２３は、上記の構成に限らず、コイルバネ等で構成されていてもよい。
【００５４】
この構成により、リールロック部材２２は、リールロックバネ２３の付勢力を受けて、その係合歯２２ａをテープリール６外周のギヤ部に係合するリールロック位置に移動し、カートリッジ非使用時における磁気テープ５の巻き弛みを防止すると共に、カートリッジ使用時においては、記録再生装置側のリールロック解除機構が下シェル３の底面を介してカートリッジ内部に進入し、リールロック部材２２をリールロックバネ２３の付勢力に抗して後退させてリールロック動作を解除し、テープリール６を回転可能な状態とする。
【００５５】
また、上シェル２の後面部２ｂの下端には、下シェル３に対する前後方向の位置決めをなす複数の結合爪部２ｆが形成されている。各結合爪部２ｆは、後面部２ｂの下端から略Ｌ字形状に屈曲形成されており、これら複数の結合爪部２ｆの形成位置に対応して、下シェル３の底部内面後端側に複数形成された嵌合凹所３ｆにそれぞれ嵌合可能となっている。嵌合凹所３ｆは、有底孔、貫通孔いずれの形態でもよいが、貫通孔とすることによりカートリッジ分解性を高めることができる。なお、結合爪部２ｆ及び嵌合凹所３ｆの配置数は上記に限らず、更にその数を増減してもよい。
【００５６】
本実施の形態では、図４に示すように、嵌合凹所３ｆの上端であって結合爪部２ｆの進入側端部に、テーパー面３ｇが形成されており、当該嵌合凹所３ｆに対する結合爪部２ｆの嵌合作用の容易化が図られている。なお、これ以外にも又はこれに加えて、結合爪部２ｆの先端部に丸みをもたせて断面が曲面状となるようにしてもよい。また、結合爪部２ｆ及び嵌合凹所３ｆをそれぞれ互いに対応する形状に形成することにより、嵌合箇所における隙間をなくしてカートリッジ内部への塵埃等の異物の侵入を防止できる。
【００５７】
リールバネ２１及びリールロックバネ２３はそれぞれ同種のバネ材料で形成することができ、本実施の形態では、ステンレス系のバネ鋼が適用されている。なお、これらリールバネ２１及びリールロックバネ２３と一体固定される上シェル２に関しても、これらバネ部品と同種のバネ鋼材を適用してもよい。
【００５８】
次に、以上のように構成される本実施の形態のテープカートリッジＣ１の製造方法について説明する。先ず、下シェル３の所定位置に対して、磁気テープ５を巻装した一対のテープリール６、リッドロック部材１７、リールロック部材２２等の合成樹脂製部品を組み込む。そして、フロントリッド１１、バックリッド１２及びトップリッド１３を連結してリッド構体１０を形成し、その回動軸１４へリッドバネを組み込んで、下シェル３の前面部の支持孔１５へ装着する。
【００５９】
一方、リールバネ２１及びリールロックバネ２３は、上シェル２の主面部２ａの内面側及び後面部２ｂの内面側のそれぞれの所定位置に固着され、下シェル３へ上シェル２を組み付けると同時にリールバネ２１及びリールロックバネ２３をそれぞれ所定の位置に配置させる。
【００６０】
下シェル３に対する上シェル２の組み付けは、上シェル２の主面部２ａ両側端の係合爪部２ｄを下シェル３の側壁３ａ上端の係合凹所３ｄへそれぞれ係合させた後、上シェル２を下シェル３に対して前方側へ押動して、係合爪部２ｄをスライドガイド溝３ｅに沿ってスライドさせる。そして、上シェル２の後面部２ｂ下端の複数の嵌合爪部２ｆを下シェル３の底面後端の嵌合凹所３ｆへそれぞれ嵌合させ、両シェル２，３間を結合する。このとき、各リールバネ２１の自由端は、それぞれテープリール６の上面中心部を弾接する位置に配置され、リールロックバネ２３の自由端２３ｂは、リールロック部材２２後端のバネ係止部２２ｂへ係止される。
【００６１】
以上のようにして、テープカートリッジＣ１が製造される。なお、テープカートリッジＣ１を分解するにあたっては、嵌合凹所３ｆに嵌合している嵌合爪部２ｆを各々下シェル３の下面側から適当な工具等を用いて突き上げて嵌合凹所３ｆから離脱させた後、上シェル２を下シェル３に対して後方側へスライドさせることによって分離することができる。
【００６２】
従って、本実施の形態によれば、リールバネ２１及びリールロックバネ２３が上シェル２に対して一体固定されているので、下シェル３に対する上シェル２の取り付け作業と同時に、リールバネ２１とリールロックバネ２３とを下シェル３へ組み付けることができ、これによりカートリッジの組立性を高めて生産コストの低減を図ることができる。また、下シェル３に対する上シェル２の取り外し作業と同時に、リールバネ２１とリールロックバネ２３とを下シェル３から取り外すことができ、これによりカートリッジの分解性を高めて分解コストの低減を図ることができる。
【００６３】
また、リールロックバネ２３が上シェル２に対して一体固定されているので、上シェル２と下シェル３との分離時にリールロックバネ２３を同時に取り外すことができ、これによりカートリッジからリールロックバネ２３の取り出し作業を容易とし、リールロックバネ２３の回収性を高めることができる。
【００６４】
特に、上シェル２を金属材料製としているので、上シェル２と下シェル３との分離時に上シェル２側に金属部品を集約させることができる。これにより、カートリッジ構成部品の分別回収を容易とし、廃棄時における環境負荷の軽減を図ることができると共に、資源の再利用の促進を図ることができる。このとき、上シェル２をリールバネ２１及びリールロックバネ２３と同種のバネ鋼材で構成すれば、上シェル２とリールバネ２１及びリールロックバネ２３の更なる解体を必要とせずに一体的に廃棄又は回収、再利用が可能となる。
【００６５】
同様に、下シェル３及びこれに組み込まれる各種部品に比較的リサイクルの容易なＰＰやＡＢＳ等を用い、同一素材にて形成すれば、磁気テープ５を巻装したテープリールを下シェル３から取り出すのみで容易に材料の選別が可能となり、金属材及び合成樹脂材の廃棄量の低減に貢献し、環境低負荷、素材の循環に更に有効となる。
【００６６】
一方、本実施の形態のテープカートリッジＣ１によれば、上シェル２と下シェル３とを互いにスライド係合させて両者を結合させるようにしているので、従来のテープカートリッジのように複数のネジ部材を用いることなくカートリッジを製造することができる。これにより、ネジを使用せずにより簡便な方法で、部品点数を少なくして、テープカートリッジを製造することが可能となる。
【００６７】
更に、本実施の形態では、上シェル２を金属材料で形成するようにしているので、合成樹脂製のカートリッジケース以上の剛性を確保でき、これにより外部から力が加わっても磁気テープの保護の強化を図ることができる。また、帯電防止効果が向上し、記録再生時に悪影響を及ぼす塵や埃を寄せ付けず、テープの記録再生時におけるドロップアウトを抑制できる。更に、カートリッジケースの放熱効果が高まり、これによりカートリッジ内部の温度上昇を抑制して磁気テープの劣化を防止することができる。
【００６８】
［第２の実施の形態］
次に、本発明の第２の実施の形態について説明する。図６〜図１１は本発明の第２の実施の形態を示している。本実施の形態では、リッドバネが上シェルに一体固定されているテープカートリッジＣ２の構成を説明する。
【００６９】
ここで、図６はテープカートリッジＣ２の分解斜視図、図７はテープカートリッジＣ２のリッドロック機構部の部分破断平面図、図８はリッドロック部材の斜視図、図９はリッドバネの斜視図、図１０及び図１１はリッド開放動作を説明する要部側断面図である。
【００７０】
テープカートリッジＣ２は、上シェル３２と下シェル３３とを結合してなるカートリッジケース３４の内部に、磁気テープ３５を巻装した一対のテープリール３６を回転自在に収納して構成されている。
【００７１】
上シェル３２及び下シェル３３の構成材料は特に限定されず、ＰＳ（ポリスチレン）、ＡＢＳ（アクリロニトリルブタジエンスチレン共重合体）、ＰＣ（ポリカーボネート）又はこれらにガラスファイバーを添加あるいは混合したもの等の合成樹脂材料を主体としたものや、鉄、アルミニウム、ステンレス等の金属材料で構成することができる。本実施の形態では、上シェル３２を金属材料製とし、下シェル３３を合成樹脂材料製としている。
【００７２】
テープリール３６は、磁気テープ３５の巻芯となるハブと、ハブの上端及び下端に接合又は一体形成される上フランジ及び下フランジとを有しているが、ハブ単体で構成されていてもよい。テープリール３６の構成材料も特に限定されないが、本実施の形態では、ＰＯＭ（ポリオキシメチレン）やＡＳ（アクリロニトリルスチレン共重合体）等の合成樹脂材料が適用されている。
【００７３】
テープリール３６は、上シェル３２の内面に一端が固定されたリールバネ５１の他端（自由端）に押圧されることにより下シェル３３側に付勢され、カートリッジケース３４の内部におけるガタツキが防止されている。リールバネ５１は金属板バネで形成されており、その一端が上シェル２の内面側に溶接又はカシメにて固着されている。
【００７４】
テープリール３６の回転規制を行うリールロック機構は、各テープリール３６の下フランジ外周部にそれぞれ係合して回転規制を行うリールロック部材５２と、このリールロック部材５２をテープリール３６の回転規制位置へ付勢するリールロックバネ５３とを備えている。リールロックバネ５３はコイルバネでなり、下シェル３３の背面壁部とリールロック部材５２との間で支持されている。
【００７５】
一方、下シェル３３の左右前面部にはテープ引出し部３７がそれぞれ形成されており、これら左右のテープ引出し部３７の間にテープローディング用の空間部３８を形成している。テープリール３６に巻装されている磁気テープ３５は、この空間部３８を横断するように、各テープ引出し部３７のテープガイド３９間に架け渡されている。
【００７６】
空間部３８を横断する磁気テープ３５は、空間部３８を開閉するリッド構体４０により保護される。リッド構体４０は、磁気テープ３５の前面側を保護するフロントリッド４１と、磁気テープ３５の背面側を保護するバックリッド４２と、空間部３８の上方部を覆うトップリッド４３とで構成されている。これらリッド部材４１〜４３は互いに連結され、それぞれに対して回動自在に軸支されている。
【００７７】
リッド構体４０は、そのフロントリッド４１の両側内面部に突出形成された一対の回動軸４４を、下シェル３３のテープ引出し部３７の外周部に形成された支持孔４５にそれぞれ嵌合させることによって、下シェル３３の前面部に回動自在に組み付けられる。このとき、バックリッド４２の両端のガイド突起４８は、テープ引出し部３７の内側外周壁に形成されたガイド溝４９と係合すると共に、トップリッド４３の両端内面部に形成されたガイド突起５８（図１０Ａ）は、上シェル２の側壁外周面に形成されたガイド溝５９と係合するようになっている。
【００７８】
また、下シェル３３の右側のテープ引出し部３７の外面側には、フロントリッド４１を閉位置へロックするリッドロック部材４７を収容するためのリッドロック収容部４６が設けられている。
【００７９】
さて、本実施の形態では、フロントリッド４１を閉位置へ付勢するリッドバネ５４が、上シェル３２の内面側に一体固定されている。このリッドバネ５４は、リッドロック部材４７をリッドロック位置へ付勢するリッドロックバネを兼ねた構成とされている。
【００８０】
リッドロック部材４７は、図８に示すように、回動軸部４７ａと、リッドバネ５４の付勢力を受けるバネ受け部４７ｂと、フロントリッド４１内面の係合部４１ａ（図１０Ａ）に係合しフロントリッド４１の回動を規制する係合爪４７ｃと、記録再生装置側のリッドロック解除手段と当接しリッドロック部材４７の回動操作が行われる操作部４７ｄと、リッドロック収容部４６内面の凹所４６ａ（図１０Ａ）に係合しリッドロック部材４７の回動範囲を規制する規制部４７ｅとを備えている。
【００８１】
一方、リッドバネ５４は、図９に示すように、金属板バネを折曲げ形成してなり、上シェル３２の内面部に溶接又はカシメ等により固定される固着部５４ａと、フロントリッド４１の回動軸４４に形成されたスリット部４４ａ（図１０Ａ）に挿着される挿着部５４ｂと、この挿着部５４ｂ側とは反対側のコの字形状の折曲げ端部に形成されリッドロック部材４７のバネ受け部４７ｂに弾接する弾性片部５４ｃとを有している。挿着部５４ｂは、リッドバネ５４の一端側に段部５４ｔを介して形成されている。
【００８２】
この弾性片部５４ｃの基端部５４ｄは湾曲形状とされ、弾性片部５４ｃの繰り返し変形による永久歪の発生を防ぎ、弾性片部５４ｃのヘタリの低減が図られている。また、固着部５４ａと挿着部５４ｂとの間は、互いに逆方向に湾曲する一対の湾曲部５４ｅ及び５４ｆによって連接され、これらの湾曲部５４ｅ，５４ｆによって弾性伸縮部が形成され、固着部５４ａと挿着部５４ｂとの間の相対距離が変動自在となっている。
【００８３】
以上のように構成される本実施の形態のテープカートリッジＣ２の製造方法について説明する。先ず、下シェル３の所定位置に対して、磁気テープ３５を巻装した一対のテープリール３６、リッドロック部材４７、リールロック部材５２、リールロックバネ５３等の各種部品を組み込む。そして、フロントリッド４１、バックリッド４２及びトップリッド４３を連結してリッド構体４０を形成し、その回動軸４４を下シェル３３の前面部の支持孔４５へ装着する。
【００８４】
一方、リールバネ５１及びリッドバネ５４は、上シェル３２の主面部の内面側の所定位置にそれぞれ固着され、下シェル３３へ上シェル３２を組み付けると同時にリールバネ５１及びリッドバネ５４をテープリール３６の上端中央部及びリッド構体４０の内部へそれぞれ配置させる。上シェル３２と下シェル３３との結合は、複数本のネジ部材５０を用いて結合する。
【００８５】
ここで、リッド構体４０に対するリッドバネ５４の組み付けは、下シェル３３に上シェル３２を組み付ける際、先ず、リッドバネ５４の挿着部５４ｂを、フロントリッド４１の回動軸４４に形成されたスリット部４４ａに挿着させる。このとき、段部５４ｔが回動軸４４のスリット形成位置終端に当接して、スリット部４４ａに対する挿着部５４の進入量が規制される。そして、挿着部５４ｂをスリット部４４ａへ挿着した後、上シェル３２と下シェル３２とを重ね合わせ、リッドバネ５４の弾性片部５４ｃをリッドロック部材４７のバネ受け部４７ｂへ弾接させる。これにより、従来のトーションバネでなるリッドバネに比べて、リッド構体に対する組付けが容易となり、作業性が向上する。
【００８６】
なお、リールバネ５１は、上シェル３２と下シェル３３との重ね合わせにより、リールバネ５１の自由端がテープリール３６の上端中央部に弾接するようになっている。
【００８７】
次に、リッドバネ５４の作用について説明する。
【００８８】
図１０Ａに示す状態は、カートリッジ非使用時である。リッドバネ５４は、固着部５４ａを介して上シェル３２に一体固定されている。リッドバネ５４の一端側の挿着部５４ｂは、回動軸４４のスリット部４４ａに挿着され、他端側の弾性片部５４ｃは、リッドロック部材４７のバネ受け部４７ｂに弾接している。弾性片部５４ｃの弾性作用により、リッドロック部材４７をその係合爪４７ｃがフロントリッド４１の係合部４１ａと係合する回動位置へ付勢されている。これにより、フロントリッド４１の開放動作は規制され、磁気テープを塵埃等の付着から保護している。なお、このときのリッドロック部材４７の回動角は、規制部４７ｅと凹所４６ａとの当接作用により規制される。
【００８９】
テープカートリッジＣ２が記録再生装置へ装着されると、記録再生装置側のリッドロック解除手段（図示略）がリッドロック部材４７の操作部４７ｄに前方側から当接し、リッドバネ５４の弾性片部５４ｃの付勢力に抗して、図１０Ｂに示すように、リッドロック部材４７を回動軸４７ａを中心として後方側へ回動させる。これにより、係合爪４７ｃと係合部４１ａとの係合が解除され、フロントリッド４１が開放可能な状態とされる。なお、このときのリッドロック部材４７の回動角は、規制部４７ｅと凹所４６ａとの当接作用により規制される。
【００９０】
そして、記録再生装置のリッド開放手段（図示略）がフロントリッド４１の底部に係合してその開放動作が開始される（図１０Ｂ）。フロントリッド４１は回動軸４４のまわりに回動し、バックリッド４２及びトップリッド４３はそれぞれガイド突起４８とガイド溝４９（図６）との係合作用、及び、ガイド突起５８とガイド溝５９との係合作用により、所定の軌跡を描いて開放される（図１１Ａ，Ｂ）。これにより、空間部３８が開放され、この空間部３８を横断する磁気テープ３５が記録再生装置のテープローディング手段（図示略）によってローディングされる。
【００９１】
リッドバネ５４は、フロントリッド４１の開方向への回動操作に対する一定の反力を回動軸４４へ作用させている。この回動反力は、回動軸４４の回動によるリッドバネ５４の挿着部５４ｂの折曲げ作用に伴って伸長する湾曲部５４ｅ，５４ｆの弾性復元力により生起される。従って、テープカートリッジＣ２が記録再生装置から取り出される際、このリッドバネ５４の復元力によりフロントリッド４１は図１０Ａに示す閉塞位置へ復帰する。これと同時に、リッドロック部材４７がリッドバネ５４の弾性片部５４ｃの付勢力を受けて、図１０Ａに示すリッドロック位置に回動される。
【００９２】
以上のように、本実施の形態によれば、一対のリールバネ５１及びリッドバネ５４が上シェル３２に対して一体固定されているので、下シェル３３に対する上シェル３２の取り付け作業と同時に、リールバネ５１及びリッドバネ５４を下シェル３３及びリッド構体４０へそれぞれ組み付けることができ、これによりカートリッジの組立性を高めて生産コストの低減を図ることができる。また、下シェル３３に対する上シェル３２の取り外し作業と同時に、リールバネ５１及びリッドバネ５４を下シェル３３及びリッド構体４０からそれぞれ取り外すことができ、これによりカートリッジの分解性を高めて分解コストの低減を図ることができる。
【００９３】
また、リッドバネ４が上シェル３２に対して一体固定されているので、上シェル３２と下シェル３３との分離時にリッドバネ５４を同時に取り外すことができ、これによりカートリッジからリッドバネ５４の取り出し作業を容易とし、リッドバネ５４の回収性を高めることができる。
【００９４】
特に、上シェル３２を金属材料製としているので、上シェル３２と下シェル３３との分離時に上シェル３２側に金属部品を集約させることができる。これにより、カートリッジ構成部品の分別回収を容易とし、廃棄時における環境負荷の軽減を図ることができると共に、資源の再利用の促進を図ることができる。このとき、上シェル３２をリールバネ５１及びリッドバネ３３と同種のバネ鋼材で構成すれば、上シェル３２とリールバネ５１及びリッドバネ５４の更なる解体を必要とせずに一体的に廃棄又は回収、再利用が可能となる。
【００９５】
［第３の実施の形態]
続いて、図１２は、本発明の第３の実施の形態によるテープカートリッジＣ３の構成を示す分解斜視図である。なお、図において上述の第１の実施の形態と対応する部分については同一の符号を付し、その詳細な説明は省略するものとする。
【００９６】
本実施の形態のテープカートリッジＣ３は、上述の第１の実施の形態で説明した上シェル２の主面部２ａの内面所定位置に対して、上述の第２の実施の形態で説明したリッドバネ５４を一体固定させた構成を備えている。
【００９７】
このような構成のテープカートリッジＣ３によれば、一対のリールバネ２１、リールロックバネ２３及びリッドバネ５４が上シェル２に対して一体固定されているので、下シェル３に対する上シェル２の取り付け作業と同時に、リールバネ２１とリールロックバネ２３とを下シェル３へ組み付けることができると共にリッドバネ５４をリッド構体１０へ組み付けることができ、これによりカートリッジの組立性を高めて生産コストの低減を図ることができる。
【００９８】
また、下シェル３に対する上シェル２の取り外し作業と同時に、リールバネ２１とリールロックバネ２３とを下シェル３から取り外すことができると共にリッドバネ５４をリッド構体１０から取り外すことができ、これによりカートリッジの分解性を高めて分解コストの低減を図ることができる。
【００９９】
また、リールロックバネ２３及びリッドバネ５４が上シェル２に対して一体固定されているので、上シェル２と下シェル３との分離時にこれらリールロックバネ２３及びリッドバネ５４を同時に取り外すことができ、これによりカートリッジからリールロックバネ２３及びリッドバネ５４の取り出し作業を容易とし、リールロックバネ２３及びリッドバネ５４の回収性を高めることができる。
【０１００】
特に、上シェル２を金属材料製としているので、上シェル２と下シェル３との分離時に上シェル２側に金属部品を、また下シェル３側に合成樹脂部品をそれぞれ集約させることができる。これにより、カートリッジ構成部品の分別回収を容易とし、廃棄時における環境負荷の軽減を図ることができると共に、資源の再利用の促進を図ることができる。このとき、上シェル２をリールバネ２１、リールロックバネ２３及びリッドバネ５４と同種のバネ鋼材で構成すれば、上シェル２とリールバネ２１、リールロックバネ２３及びリッドバネ５４の更なる解体を必要とせずに一体的に廃棄又は回収、再利用が可能となる。
【０１０１】
同様に、下シェル３及びこれに組み込まれる各種部品に比較的リサイクルの容易なＰＰやＡＢＳ等を用い、同一素材にて形成すれば、磁気テープ５を巻装したテープリールを下シェル３から取り出すのみで容易に材料の選別が可能となり、金属材及び合成樹脂材の廃棄量の低減に貢献し、環境低負荷、素材の循環に更に有効となる。
【０１０２】
一方、本実施の形態のテープカートリッジＣ３によれば、上シェル２と下シェル３とを互いにスライド係合させて両者を結合させるようにしているので、従来のテープカートリッジのように複数のネジ部材を用いることなくカートリッジを製造することができる。これにより、ネジを使用せずにより簡便な方法で、部品点数を少なくして、テープカートリッジを製造することが可能となる。
【０１０３】
以上、本発明の各実施の形態について説明したが、勿論、本発明はこれらに限定されることなく、本発明の技術的思想に基づいて種々の変形が可能である。
【０１０４】
例えば以上の実施の形態では、本発明のテープカートリッジとして、民生用ＤＶテープカートリッジを例に挙げて説明したが、これ以外にも、リールロック機構及び／又はリッドを備えた８ｍｍカセットやＶＨＳカセット等の他のテープカートリッジに対しても、本発明は適用可能である。
【図面の簡単な説明】
【０１０５】
【図１】本発明の第１の実施の形態によるテープカートリッジＣ１の要部分解斜視図である。
【図２】上シェル２の構成を示す内面側斜視図である。
【図３】上シェル２の係合爪部２ｄと下シェル３の係合凹所３ｄとの関係を示す要部斜視図である。
【図４】上シェル２の嵌合爪部３ｆと下シェル３の嵌合凹所３ｆとの関係を示す要部断面図である。
【図５】テープカートリッジＣ１のリールロック機構の構成を示す要部側断面図である。
【図６】本発明の第２の実施の形態によるテープカートリッジＣ２の分解斜視図である。
【図７】テープカートリッジＣ２のリッドロック機構周辺を示す要部破断平面図である。
【図８】リッドロック部材４７の斜視図である。
【図９】リッドバネ５４の斜視図である。
【図１０】テープカートリッジＣ２のリッド開放動作を説明する要部側断面図である。
【図１１】テープカートリッジＣ２のリッド開放動作を説明する要部側断面図である。
【図１２】本発明の第３の実施の形態によるテープカートリッジＣ３の要部分解斜視図である。
【図１３】本発明の第１の従来例によるテープカートリッジの分解斜視図である。
【図１４】図１３に示すテープカートリッジのリッド開放動作を説明する要部側断面図である。
【図１５】本発明の第２の従来例によるテープカートリッジの分解斜視図である。
【図１６】図１５に示すテープカートリッジのリッドロック機構周辺を示す要部破断平面図である。
【図１７】図１５に示すテープカートリッジのリッド開放動作を説明する要部側断面図である。
【符号の説明】
【０１０６】
２，３２…上シェル、２ａ…主面部、２ｂ…後面部、２ｄ…係合爪部、２ｆ…嵌合爪部、３，３３…下シェル、３ａ…側壁、３ｂ…後壁、３ｄ…係合凹所、３ｅ…スライドガイド溝、３ｆ…嵌合凹所、４，３４…カートリッジケース、５，３５…磁気テープ、６，３６…テープリール、８，３８…空間部、２１，５１…リールバネ、２２…リールロック部材、２３…リールロックバネ、４０…リッド構体、４１…フロントリッド、４２…バックリッド、４３…トップリッド、４４…回動軸、４４ａ…スリット部、４７…リッドロック部材、４７ａ…回動軸、４７ｂ…バネ受け部、４７ｃ…係合爪、４７ｄ…操作部、４７ｅ…規制部、５４…リッドバネ、５４ａ…固着部、５４ｂ…挿着部、５４ｃ…弾性片部、５４ｅ，５４ｆ…湾曲部、Ｃ１〜Ｃ３…テープカートリッジ。
【図１】
2005276278.tif 000003
【図２】
2005276278.tif 000004
【図３】
2005276278.tif 000005
【図４】
2005276278.tif 000006
【図５】
2005276278.tif 000007
【図６】
2005276278.tif 000008
【図７】
2005276278.tif 000009
【図８】
2005276278.tif 000010
【図９】
2005276278.tif 000011
【図１０】
2005276278.tif 000012
【図１１】
2005276278.tif 000013
【図１２】
2005276278.tif 000014
【図１３】
2005276278.tif 000015
【図１４】
2005276278.tif 000016
【図１５】
2005276278.tif 000017
【図１６】
2005276278.tif 000018
【図１７】
2005276278.tif 000019